(57)【要約】【課題】視覚変化の体験を、体験希望者にとっても体験提供者にとっても負担少なく行ってもらうことができるようにする。【解決手段】視覚変化材３が、垂直軸線から側方に偏心して配置され、該垂直軸線回りで駆動部により周回移動するようになされており、視覚変化材３の周回経路で囲まれた内部に視覚対象部２が設けられ、視覚変化材３の周回移動により、人が、視覚変化材３の周回経路の外側で、視覚変化材３を通した視覚対象部２と、視覚変化材３を通さない視覚対象部２とを比較して目視体験することができるようになされている視覚変化体験装置１などによって体験してもらう。【選択図】      図１
2008139412.tif 000002
【特許請求の範囲】
【請求項１】
視覚対象部と、視覚変化材と、これら視覚対象部と視覚変化材とを相対移動させる駆動部とが備えられ、駆動部による前記相対移動によって、人が、視覚変化材を通した視覚対象部と、視覚変化材を通さない視覚対象部とを比較して目視体験することができるようになされていることを特徴とする視覚変化体験装置。
【請求項２】
視覚対象部が固定で、視覚変化材が駆動部により移動するようになされており、かつ、視覚対象部があらわされた領域範囲内を視覚変化材が移動するようになされている請求項１に記載の視覚変化体験装置。
【請求項３】
視覚変化材が、垂直軸線から側方に偏心して配置され、該垂直軸線回りで駆動部により周回移動するようになされており、該視覚変化材の周回経路で囲まれた内部に視覚対象部が設けられ、視覚変化材の周回移動により、人が、視覚変化材の周回経路の外側で、視覚変化材を通した視覚対象部と、視覚変化材を通さない視覚対象部とを比較して目視体験することができるようになされていることを特徴とする視覚変化体験装置。
【請求項４】
請求項１乃至３に記載の視覚変化体験装置を用い、人に、視覚変化材による視覚の変化を比較体験してもらうことを特徴とする視覚変化体験方法。
【発明の詳細な説明】
【技術分野】
【０００１】
本発明は、白内障等の視覚変化を擬似的に体験してもらうのに用いられる視覚変化体験装置及び視覚変化体験方法に関する。
【背景技術】
【０００２】
例えば、白内障による視覚の変化を擬似的に体験してもらうための方法として、従来より、図３（イ）に示すように、視覚を変化させるそれ用のメガネ５１を用意し、このメガネ５１を体験希望者にわたして、かけてもらったり、外してもらったりして、視覚対象部がどのように違って見えるかを比較して体験してもらうことは、従来より行われている。
【０００３】
また、図３（ロ）に示すように、視覚を変化させるガラスやアクリルからなる視覚変化板５２がスライド式で備えられたついたてを用意し、該視覚変化板５２をスライドさせて、視覚対象部が視覚変化材５２を通して見た場合と通さずに見た場合とでどのように違うかを比較して体験してもらうことも、従来より行われている。
【特許文献１】特開平１１−１１９６３８号公報
【発明の開示】
【発明が解決しようとする課題】
【０００４】
しかしながら、上記のような方法では、体験希望者にメガネ５１のかけ外しを行ってもらわなければならなかったり、また、体験提供者や体験希望者が視覚変化板５２をスライドさせる作業をいちいち行わなければならないなど、体験希望者や体験提供者にとって厄介で負担が大きいという問題があった。
【０００５】
本発明は、上記のような問題点に鑑み、視覚変化の体験を、体験希望者にとっても体験提供者にとっても負担少なく行ってもらうことができる視覚変化体験装置及び視覚変化体験方法を提供することを課題とする。
【課題を解決するための手段】
【０００６】
上記の課題は、視覚対象部と、視覚変化材と、これら視覚対象部と視覚変化材とを相対移動させる駆動部とが備えられ、駆動部による前記相対移動によって、人が、視覚変化材を通した視覚対象部と、視覚変化材を通さない視覚対象部とを比較して目視体験することができるようになされていることを特徴とする視覚変化体験装置（第１発明）、及び、該視覚変化体験装置を用い、人に、視覚変化材による視覚の変化を比較体験してもらうことを特徴とする視覚変化体験方法（第２発明）によって解決される。
【０００７】
この体験装置及び体験方法では、駆動部で視覚対象部と視覚変化材とを相対移動させることによって、人が、視覚変化材を通した視覚対象部と、視覚変化材を通さない視覚対象部とを比較して目視体験することができるようになされているものであるから、視覚対象部と視覚変化材との相対移動を人手により行う必要がなく、視覚変化の体験を、体験希望者にとっても体験提供者にとっても負担少なく行ってもらうことができる。
【０００８】
第１，第２発明において、視覚対象部が固定で、視覚変化材が駆動部により移動するようになされており、かつ、視覚対象部があらわされた領域範囲内を視覚変化材が移動するようになされているとよい（第３発明）。
【０００９】
この場合は、視覚対象部が固定で、視覚変化材が移動するようになされているので、視覚対象部に視点を固定させたままで視覚の変化を比較体験してもらうことができて、体験を目に優しいものにすることができる。しかも、視覚対象部があらわされた領域範囲内を視覚変化材が移動するようになされているので、その領域範囲の外への視覚変化材の突出をなくす、あるいは、小さくすることができて、そのような突出のためのスペースを確保しておく必要をなくすことができ、体験装置をスペース的に有利に設置することができる。
【００１０】
また、上記の課題は、視覚変化材が、垂直軸線から側方に偏心して配置され、該垂直軸線回りで駆動部により周回移動するようになされており、該視覚変化材の周回経路で囲まれた内部に視覚対象部が設けられ、視覚変化材の周回移動により、人が、視覚変化材の周回経路の外側で、視覚変化材を通した視覚対象部と、視覚変化材を通さない視覚対象部とを比較して目視体験することができるようになされていることを特徴とする視覚変化体験装置（第４発明）、及び、該装置を用い、人に、視覚変化材による視覚の変化を比較体験してもらうことを特徴とする視覚変化体験方法（第５発明）によって解決される。
【００１１】
この体験装置及び体験方法では、視覚変化材の移動を人手により行う必要がなく、視覚変化の体験を、体験希望者にとっても体験提供者にとっても負担少なく行ってもらうことができると共に、視覚対象部が固定で、視覚変化材が移動するようになされていることにより、視覚対象部に視点を固定させたままで視覚の変化を比較体験してもらうことができて、体験を目に優しいものにすることができる。
【００１２】
しかも、視覚変化材が、垂直軸線から側方に偏心して配置され、該垂直軸線回りで周回移動するようになされており、該視覚変化材の周回経路で囲まれた内部に視覚対象部が設けられた構造となっているので、体験装置をコンパクトに構成することができると共に、視覚変化材の周回経路の外側を複数人に囲んでもらって体験してもらうことができ、限られた時間内で数多くの人に視覚変化の体験をしてもらうことができる。
【発明の効果】
【００１３】
本発明は、以上のとおりのものであるから、視覚変化の体験を、体験希望者にとっても体験提供者にとっても負担少なく行ってもらうことができる。
【発明を実施するための最良の形態】
【００１４】
次に、本発明の実施最良形態を図面に基づいて説明する。
【００１５】
図１に示す第１実施形態の視覚変化体験装置１は、第１乃至第５の発明の実施形態を示すもので、２は視覚対象部、３は視覚変化材であり、視覚対象部２は、ベース部８に立設された円筒体６の外周部の全周にわたって、絵や写真などからなる視覚対象部２が設けられたもので、円筒体６の外周部が全周にわたって視覚対象部２の領域範囲６ａとされており、該視覚対象部２として、円筒体６の外周部には、樹木２ａや信号機２ｂ、車両２ｃなどがあらわされ、また、色見本２ｄ…が設けられている。なお、円筒体６を無色透明とし、該円筒体６の内部に、樹木２ａや信号機２ｂ、車両２ｃ等の模型を設置し、該円筒体６に色見本２ｄを貼り付けた構造にされていてもよい。
【００１６】
視覚変化材３は、例えば白内障の疑似体験などが可能な視覚変化を起こさせるものからなっていて、視覚対象部２を構成する円筒体６の外周部に沿う曲率半径の円弧状の曲面板で構成されており、該曲面板３は、円筒体６の外周部の周方向の一部にわたる周方向長さを備え、円筒体６の垂直軸線から側方に偏心して円筒体６の外周部に沿うように配置され、該垂直軸線回りで、図示しないモーターなどからなる駆動部により円筒体６の周囲を周回移動するようになされており、これにより、視覚対象部２のあらわされた円筒体６の外周部の全周領域範囲６ａ内で、該外周部に沿うように周回移動するようになされて、この周回移動によって、人が、視覚変化材３の周回経路の外側で、視覚変化材３を通した視覚対象部２と、視覚変化材３を通さない視覚対象部２とを比較して目視体験することができるようになされている。
【００１７】
なお、視覚変化材３の周回移動は、一方向のみへの周回移動であってもよいし、両方向への往復の周回移動であってもよいし、様々な形式の周回移動が行われてよい。５はアーム、４は周回中心部であり、視覚変化材３はこれらによって円筒体６の外周部を周回できるように支えられている。１０はスピーカーで、視覚変化体験装置１に関する説明が音声でなされるようにされている。
【００１８】
上記の視覚変化体験装置１では、駆動部により視覚変化材３を周回移動させた状態にすることで、装置１の周囲に居る人や、装置１の脇を通り過ぎていく人などに、視覚の変化を体験してもらうことができる。
【００１９】
この視覚変化体験装置１によれば、視覚変化材３が駆動部によって視覚対象部２のあらわされた円筒体６の外周部の周囲を周回移動するようになされているので、視覚変化材３の移動を人手により行う必要がなく、視覚変化の体験を、体験希望者にとっても体験提供者にとっても負担少なく行ってもらうことができる。また、視覚対象部２は動かず固定で、視覚変化材３が上記のように周回移動するようになされているので、視覚対象部２に視点を固定させたままで視覚の変化を比較体験してもらうことができて、体験を目に優しいものにすることができる。
【００２０】
しかも、視覚変化材３は、垂直軸線から側方に偏心して、視覚対象部２を構成する円筒体６の外周部に沿うように配置され、該外周部に沿うようにして周回移動するようになされているので、体験装置１をコンパクトに構成することができる。
【００２１】
特に、視覚変化材３は、視覚対象部２があらわされた円筒体６の外周部の全周領域範囲内で周回移動するようになされているので、視覚変化材３が移動に伴って外方に突出してしまうことがなく、それゆえ、そのための突出スペースも必要なく、スペース的な有利性を発揮することができる。
【００２２】
そして、視覚変化材３の周回経路の外側を複数人に囲んでもらって視覚変化の体験をしてもらうことができて、限られた時間内で数多くの人に視覚変化の体験をしてもらうことができる。視覚変化材３が定速で一方向に周回するようになされている場合は、駆動部と視覚変化材３とを結ぶ駆動系の構成を簡素なものにすることができる。
【００２３】
図２（イ）に示す第２実施形態の視覚変化体験装置１、第２（ロ）に示す第３実施形態の視覚変化体験装置１、及び、図（ハ）に示す第４実施形態の視覚変化体験装置１は、それぞれ、第１乃至第３の発明の実施形態を示すもので、いずれも、視覚対象部２と、視覚変化材３と、これら視覚対象部２と視覚変化材３とを相対移動させる図示しない駆動部とが備えられ、駆動部による前記相対移動によって、人が、視覚変化材３を通した視覚対象部２と、視覚変化材３を通さない視覚対象部２とを比較して目視体験することができるようになされており、相対移動については、視覚対象部２が固定で、視覚変化材３が駆動部により移動するようになされており、視覚対象部２のがあらわされた領域範囲１０内で視覚変化材３が移動するようになされたものである。
【００２４】
視覚対象部２があらわされた領域範囲１０は、ボードに絵や写真などからなる視覚対象部２を貼り付けて構成されたものであってもよいし、無色透明のボードの背後に視覚対象部を構成する模型を設置したものなどで構成されていてよい。
【００２５】
そのなかで、図２（イ）に示す視覚変化体験装置１は、平板状の方形の視覚変化材３が、視覚対象部２のあらわされた領域範囲１０を縦断する長さ寸法を備えて、該領域範囲１０内で左右方向に往復移動するようになされたものである。
【００２６】
また、図２（ロ）に示す視覚変化体験装置１は、平板状の方形の視覚変化材３が、視覚対象部２のあらわされた領域範囲１０を横断する幅寸法を備えて、該領域範囲１０内を上下方向に往復移動するようになされている。
【００２７】
更に、図２（ハ）に示す視覚変化体験装置１は、平板状の扇形の視覚変化材３が、視覚対象部２のあらわされた領域範囲１０内で、軸部９を中心として往復回動するようになされたものである。
【００２８】
第２乃至第４の各実施形態の視覚変化体験装置１，１，１では、駆動部で視覚対象部２と視覚変化材３とを相対移動させることによって、人が、視覚変化材３を通した視覚対象部２と、視覚変化材３を通さない視覚対象部２とを比較して目視体験することができるようになされているから、視覚対象部２と視覚変化材３との相対移動を人手により行う必要がなく、視覚変化の体験を、体験希望者にとっても体験提供者にとっても負担少なく行ってもらうことができるし、視覚対象部２が固定で、視覚変化材３が移動するようになされているので、視覚対象部２に視点を固定させたままで視覚の変化を比較体験してもらうことができて、体験を目に優しいものにすることができるし、視覚対象部２があらわされた領域範囲１０内を視覚変化材３が移動するようになされているので、その領域範囲１０の外への視覚変化材３の突出をなくす、あるいは、小さくすることができて、そのような突出のためのスペースを確保しておく必要をなくすことができて、体験装置１をスペース的に有利に設置することができる。
【００２９】
以上に、本発明の実施形態を示したが、本発明はこれに限られるものではなく、発明思想を逸脱しない範囲で各種の変更が可能である。例えば、上記の実施形態では、視覚変化材３として、白内障などの疑似体験が可能なものを用いた場合を示したが、これに限られるものではなく、目的に応じた視覚変化を生じさせる各種の視覚変化材が用いられてよい。また、視覚対象部についても、目的に応じた各種視覚対象部が採用されてよい。
【００３０】
また、上記の各実施形態では、視覚対象部が固定で、視覚変化材が移動する場合を示したが、視覚変化材が固定で、視覚対象部が移動する構成であってもよいし、視覚対象部も視覚変化材もともに移動する構成であってもよい。
【図面の簡単な説明】
【００３１】
【図１】第１実施形態の視覚変化体験装置を示す斜視図である。
【図２】図（イ）は第２実施形態の視覚変化体験装置を示す正面図、図（ロ）は第３実施形態の視覚変化体験装置を示す正面図、図（ハ）は第４実施形態の視覚変化体験装置を示す正面図である。
【図３】図（イ）及び図（ロ）はそれぞれ先行技術を示す説明図である。
【符号の説明】
【００３２】
１…視覚変化体験装置
２…視覚対象部
３…視覚変化材
６ａ，１０…領域範囲
【図１】
2008139412.tif 000003
【図２】
2008139412.tif 000004
【図３】
2008139412.tif 000005